(57)【要約】【課題】データベースに登録されている原本の情報を、不正に更新されることを防止できる印刷物管理装置を提供する。【解決手段】本発明の印刷物管理装置１００は、各印刷物に固有の物理的特徴を示す特徴情報と、各印刷物に付与した識別ＩＤとを関連付けて蓄積している固定ディスク１２３を用いて、印刷物を管理する印刷物管理装置１００であって、第１および第２の印刷物から、それぞれ、上記特徴情報を取得する特徴情報抽出部１０２と、上記取得された上記第１の印刷物の特徴情報が、上記固定ディスク１２３に登録されているかを判定する特徴情報判定部１１２と、上記特徴情報判定部１１２の判定結果が真である場合に、上記取得された上記第２の印刷物の特徴情報を、上記第１の印刷物の特徴情報の代わりに上記第１の印刷物の識別ＩＤに関連付けて、上記データベースに登録する登録部１０３と、を備えている。【選択図】図１
2009116513.tif 000002
【特許請求の範囲】
【請求項１】
各印刷物に固有の物理的特徴を示す特徴情報と、各印刷物に付与した識別ＩＤとを関連付けて蓄積しているデータベースを用いて、印刷物を管理する印刷物管理装置であって、
第１および第２の印刷物から、それぞれ、上記特徴情報を取得する特徴情報取得手段と、
上記取得された上記第１の印刷物の特徴情報が、上記データベースに登録されているかを判定する特徴情報判定手段と、
上記特徴情報判定手段の判定結果が真である場合に、上記取得された上記第２の印刷物の特徴情報を、上記第１の印刷物の特徴情報の代わりに上記第１の印刷物の識別ＩＤに関連付けて、上記データベースに登録する登録手段と、
を備えていることを特徴とする、印刷物管理装置。
【請求項２】
各印刷物に固有の物理的特徴を示す特徴情報と、各印刷物に付与した識別ＩＤと、各印刷物の内容を示す内容情報とを関連付けて蓄積しているデータベースを用いて、印刷物を管理する印刷物管理装置であって、
第１および第２の印刷物から、それぞれ、上記特徴情報を取得する特徴情報取得手段と、
上記取得された上記第１の印刷物の特徴情報が、上記データベースに登録されているかを判定する特徴情報判定手段と、
上記第２の印刷物から、上記内容情報を取得する内容情報取得手段と、
上記特徴情報判定手段の判定結果が真である場合に、上記データベースに登録されている上記第１の印刷物の内容情報と、上記取得された上記第２の印刷物の内容情報とが、一致しているかを判定する内容情報判定手段と、
上記内容情報判定手段の判定結果が真である場合に、上記取得された上記第２の印刷物の特徴情報および内容情報を、上記第１の印刷物の特徴情報および内容情報の代わりに上記第１の印刷物の識別ＩＤに関連付けて、上記データベースに登録する登録手段と、
を備えていることを特徴とする、印刷物管理装置。
【請求項３】
各印刷物に固有の物理的特徴を示す特徴情報と、各印刷物を識別する識別ＩＤと、各印刷物の内容を示す内容情報とを関連付けて蓄積しているデータベースを用いて、印刷物を管理する印刷物管理装置であって、
所定の印刷物から、上記特徴情報を取得する特徴情報取得手段と、
上記取得された上記所定の印刷物の特徴情報が、上記データベースに登録されているかを判定する特徴情報判定手段と、
上記所定の印刷物から、上記内容情報を取得する内容情報取得手段と、
上記特徴情報判定手段の判定結果が真である場合に、上記データベースに登録されている上記所定の印刷物の内容情報と、上記取得された上記所定の印刷物の内容情報とが、一致しているかを判定する内容情報判定手段と、
上記内容情報判定手段の判定結果が偽である場合に、上記取得された上記所定の印刷物の内容情報を、上記データベースに登録されている上記所定の印刷物の内容情報に代わりに上記所定の印刷物の識別ＩＤに関連付けて、上記データベースに登録する登録手段と、
を備えていることを特徴とする、印刷物管理装置。
【請求項４】
上記特徴情報取得手段は、
上記第１および第２の印刷物を光学的に撮像することによって、それぞれの画像情報を生成する印刷物撮像装置を介して、上記第１の印刷物および上記第２の印刷物の特徴情報を取得し、
上記印刷物撮像装置は、撮像した上記第１の印刷物を物理的に破壊する破壊手段を備えており、
上記登録手段は、上記第２の印刷物の特徴情報を上記データベースに登録した後、上記第１の印刷物を上記破壊手段で物理的に破壊することを指示する信号を、上記印刷物撮像装置に出力することを特徴とする、請求項１または２に記載の印刷物管理装置。
【請求項５】
上記登録手段は、上記取得された上記第２の印刷物の特徴情報を上記データベースに登録するとともに、上記データベースに登録されている上記第１の印刷物の特徴情報を、上記データベースより削除することを特徴とする、請求項１に記載の印刷物管理装置。
【請求項６】
上記登録手段は、上記取得された上記第２の印刷物の特徴情報および内容情報を上記データベースに登録するとともに、上記データベースに登録されている上記第１の印刷物の特徴情報および内容情報を、上記データベースより削除することを特徴する、請求項２に記載の印刷物管理装置。
【請求項７】
上記登録手段は、上記取得された上記所定の印刷物の内容情報を上記データベースに登録するとともに、上記データベースに登録されている上記所定の印刷物の内容情報を、上記データベースより削除することを特徴とする、請求項３に記載の印刷物管理装置。
【請求項８】
各印刷物に固有の物理的特徴を示す特徴情報と、各印刷物に付与した識別ＩＤとを関連付けて蓄積しているデータベースを用いて、印刷物を管理する印刷物管理方法であって、
第１および第２の印刷物から、それぞれ、上記特徴情報を取得する特徴情報取得ステップと、
上記取得された上記第１の印刷物の特徴情報が、上記データベースに登録されているかを判定する特徴情報判定ステップと、
上記特徴情報判定ステップの判定結果が真である場合に、上記取得された上記第２の印刷物の特徴情報を、上記第１の印刷物の特徴情報の代わりに上記第１の印刷物の識別ＩＤに関連付けて、上記データベースに登録する登録ステップと、
を備えていることを特徴とする、印刷物管理方法。
【請求項９】
各印刷物に固有の物理的特徴を示す特徴情報と、各印刷物に付与した識別ＩＤと、各印刷物の内容を示す内容情報とを関連付けて蓄積しているデータベースを用いて、印刷物を管理する印刷物管理方法であって、
第１および第２の印刷物から、それぞれ、上記特徴情報を取得する特徴情報取得ステップと、
上記取得された上記第１の印刷物の特徴情報が、上記データベースに登録されているかを判定する特徴情報判定ステップと、
上記第２の印刷物から、上記内容情報を取得する内容情報取得手段と、
上記特徴情報判定ステップの判定結果が真である場合に、上記データベースに登録されている上記第１の印刷物の内容情報と、上記取得された上記第２の印刷物の内容情報とが、一致しているかを判定する内容情報判定ステップと、
上記内容情報判定ステップの判定結果が真である場合に、上記取得された上記第２の印刷物の特徴情報および内容情報を、上記第１の印刷物の特徴情報および内容情報の代わりに上記第１の印刷物の識別ＩＤに関連付けて、上記データベースに登録する登録ステップと、
を備えていることを特徴とする、印刷物管理方法。
【請求項１０】
各印刷物に固有の物理的特徴を示す特徴情報と、各印刷物を識別する識別ＩＤと、各印刷物の内容を示す内容情報とを関連付けて蓄積しているデータベースを用いて、印刷物を管理する印刷物管理方法であって、
所定の印刷物から、上記特徴情報を取得する特徴情報取得ステップと、
上記取得された上記所定の印刷物の特徴情報が、上記データベースに登録されているかを判定する特徴情報判定ステップと、
上記所定の印刷物から、上記内容情報を取得する内容情報取得ステップと、
上記特徴情報判定ステップの判定結果が真である場合に、上記データベースに登録されている上記所定の印刷物の内容情報と、上記取得された上記所定の印刷物の内容情報とが、一致しているかを判定する内容情報判定ステップと、
上記内容情報判定ステップの判定結果が偽である場合に、上記取得された上記所定の印刷物の内容情報を、上記データベースに登録されている上記所定の印刷物の内容情報に代わりに上記所定の印刷物の識別ＩＤに関連付けて、上記データベースに登録する登録ステップと、
を備えていることを特徴とする、印刷物管理装置。
【請求項１１】
請求項１から７までのいずれか１項に記載の印刷物管理装置を動作させる印刷物管理プログラムであって、コンピュータを上記の各手段として機能させるための印刷物管理プログラム。
【請求項１２】
請求項１１に記載の印刷物管理プログラムを記録したコンピュータ読み取り可能な記録媒体。
【発明の詳細な説明】
【技術分野】
【０００１】
各印刷物に固有の物理的特徴を示す特徴情報と、各印刷物に付与した識別ＩＤとを関連付けて蓄積しているデータベースを用いて、印刷物を管理する印刷物管理装置、印刷物管理方法、印刷物管理プログラム、および印刷物管理プログラムを記憶した記憶媒体に関するものである。
【背景技術】
【０００２】
近年、スキャナ、複写機等のデジタル機器の発達により、印刷物に対して不正コピー、偽造、改竄が容易になっており、大きな社会問題となっている。また、住民票等の各種証明書や、機密文書、保険証書、保証書、契約書、有価証券など、様々な印刷物は原本性が重要である。
【０００３】
したがって、印刷物が原本であるか否かが容易に判別できるだけではなく、原本の更新および差し替えを正しく管理可能な、印刷物管理技術が求められている。
【０００４】
ここで、特許文献１には、原本を電子情報として登録管理し、電子情報に対する状態変化に応じて、既に登録されている原本の電子情報と、状態変化後の電子情報とを関連付けて登録および管理する電子原本管理装置が開示されている。具体的には、電子情報を原本として登録する要求がなされると、その電子情報に、原本系列を一意に識別するための原本系列識別情報と、原本系列におけるインスタンスを一意に識別するためのインスタンス識別情報とを対応付けて、原本情報として登録し、その原本情報に対する状態変化がなされると、原本情報から状態変化された電子情報に、状態変化以前の原本情報と対応付けられた原本系列識別情報と同一の原本系列識別情報と、新たに生成したインスタンス識別情報とを対応付けて、新たな原本情報として登録する装置である。
【０００５】
また、特許文献２には、印刷物が有する物理的な特徴を用いて、該印刷物が原本か否かを判定する方法が開示されている。具体的には、あらかじめ原本となる書類から書類の表面状態および厚さムラ状態の少なくとも一方の状態を示す状態情報を検出し、さらに確認対象の印刷物の表面状態および厚さムラ状態の少なくとも一方の状態を示す状態情報を検出し、検出した原本と確認対象の印刷物との状態を示す情報を比較することにより、確認対象の印刷物が、原本か否かを判定する書類確認方法が記載されている。
【特許文献１】特開２００６−４８７１５号公報（２００６年２月１６日公開）
【特許文献２】特開２００４−１５１８３３号公報（２００４年５月２７日公開）
【発明の開示】
【発明が解決しようとする課題】
【０００６】
しかしながら、特許文献１に開示された電子原本管理装置は、一旦電子化された原本の電子情報に対する状態変化については、すでに登録されている原本の電子情報と関連付けて管理可能であるが、印刷物である原本に変更が加えられた場合や、原本を新たな原本に差し替えた場合などにおいて、変更または差し替え後の原本を、電子情報として登録すると、すでに登録されている原本の電子情報に関連付けが行われず、結果、すでに登録されている原本の電子情報と、変更または差し替え後の原本の電子情報とを、個々に独立した個別の原本の電子情報として登録および管理することになる。
【０００７】
したがって、例えば作業記録簿のように記載内容が更新されるような、印刷物である原本自体を変更および更新した場合、特許文献１に開示された電子原本管理装置は、すでに登録された原本の電子情報と、変更および更新後の原本の電子情報とを、正しく関連付けて管理することができない、つまり、すでに登録された原本の電子情報を、変更および更新後の原本の電子情報に更新できないという問題がある。
【０００８】
また、特許文献２には、印刷物の表面状態および厚さムラ状態を示す状態情報から、確認対象となる印刷物が、原本か否かを判定する方法については開示されているものの、原本に変更および差し替えが発生した場合に、どのように既にデータベースに登録されている原本の状態情報を更新するかについては、記載されていない。
【０００９】
そこで、原本に変更および差し替えが発生した場合に、データベースに登録されていた原本の状態情報を、変更および更新された原本の状態情報に、更新登録する必要があるが、このとき、変更および更新された原本を自由に更新登録可能であった場合、予め登録されていた原本を所持しない者によって、データベースに登録されている原本の状態情報が、不正に更新登録される可能性がある。
【００１０】
本発明は、上記課題を解決するためになされたものであり、その目的は、原本に変更または差し替えが発生した場合に、データベースに登録されている原本の情報を更新可能であり、かつ、データベースに登録されている原本の情報を、不正に更新されることを防止できる、印刷物管理装置、印刷物管理方法、印刷物管理プログラム、および印刷物管理プログラムを記憶する記憶媒体を提供することにある。
【課題を解決するための手段】
【００１１】
本発明に印刷物管理装置は、上記の課題を解決するために、
各印刷物に固有の物理的特徴を示す特徴情報と、各印刷物に付与した識別ＩＤとを関連付けて蓄積しているデータベースを用いて、印刷物を管理する印刷物管理装置であって、第１および第２の印刷物から、それぞれ、上記特徴情報を取得する特徴情報取得手段と、上記取得された上記第１の印刷物の特徴情報が、上記データベースに登録されているかを判定する特徴情報判定手段と、上記特徴情報判定手段の判定結果が真である場合に、上記取得された上記第２の印刷物の特徴情報を、上記第１の印刷物の特徴情報の代わりに上記第１の印刷物の識別ＩＤに関連付けて、上記データベースに登録する登録手段と、を備えていることを特徴としている。
【００１２】
上記の構成によれば、特徴情報取得手段が、第１の印刷物より、第１の印刷物の特徴情報を取得し、取得した第１の印刷物の特徴情報が、データベースに登録されているかを、特徴情報判定手段が判定している。さらに、特徴情報判定手段が、第１の印刷物の特徴情報が、データベースに登録されていると判定して、はじめて、登録手段は、データベースに、特徴情報取得手段が取得した第２の印刷物の特徴情報を、データベースに登録されている第１の印刷物の特徴情報の代わりに第１の印刷物の識別ＩＤに関連付けて登録できる。つまり、第１の印刷物の特徴情報がデータベースに登録されているとすると、データベースに登録されている第１の印刷物の識別ＩＤに関連付けて、新たな第２の印刷物の特徴情報を、データベースに登録するためには、特徴情報手段が第１の印刷物より第１の印刷物の特徴情報を取得する必要がある、言い換えれば、印刷物管理装置を操作する操作者が第１の印刷物を所持している必要がある。
【００１３】
ここで、上記データベースに登録されている印刷物の特徴情報が原本の特徴情報だとすると、データベースに登録されている特定の原本の特徴情報を更新するためには、この特定の原本が必要となる。具体的には、データベースに登録されている特定の原本の特徴情報を、更新のための新たな原本となる第２の印刷物の特徴情報に更新するためには、本発明に係る印刷物管理装置は、特徴情報取得手段によって特徴情報が取得された第１の印刷物が、更新の対象となる特定の原本であるかを、特徴情報判定手段において、それぞれの特徴情報を比較し判定する。さらに、特徴情報判定手段によって、第１の印刷物が特定の原本であると判定された場合に、登録手段は、データベースに登録されている、更新の対象となる特定の原本の識別ＩＤに関連付けて、更新のための新たな原本である第２の印刷物の特徴情報を、データベースに登録できる。
【００１４】
一方、特徴情報取得手段によって特徴情報が取得された第１の印刷物が、更新対象となる特定の原本でないと、特徴情報判定手段が判定した場合、登録手段は、第２の印刷物の特徴情報を、特定の原本の識別ＩＤに関連付けて、データベースに登録できない。つまり、データベースに登録されている、特定の原本の特徴情報を更新するためには、特定の原本が必要となるため、更新対象となる特定の原本を所持しない者が、不正に、特定の原本の特徴情報を更新することを、本発明の印刷物管理装置は防止できる。
【００１５】
さらに、登録手段は、上記第２の印刷物の特徴情報を、上記第１の印刷物の特徴情報の代わりに上記第１の印刷物の識別ＩＤに関連付けて、上記データベースに登録する。したがって、第２の印刷物の特徴情報をデータベースに登録した後に、第１の印刷物しか所持しない操作者によって、第２の印刷物の特徴情報を、他の印刷物の特徴情報に更新されることを防止できる。つまり、上記データベースに登録されている印刷物の特徴情報が原本の特徴情報だとすると、旧原本である第１の印刷物を所持しているとしても、新原本である第２の印刷物を所持しない操作者が、データベースに登録されている新原本である第２の印刷物の特徴情報を、他の印刷物の特徴情報に、不正に更新することを防止できる。
【００１６】
以上のように、本発明の印刷物管理装置は、原本に変更および差し替えが発生した場合に、データベースに登録されている原本の情報を更新可能であり、かつ、データベースに登録されている原本の情報を、不正に更新されることを防止できるという効果を奏する。
【００１７】
なお、印刷物管理装置が備える特徴情報取得手段は、第１および第２の印刷物を光学的に撮像することによって、第１および第２の印刷物の画像情報を生成する印刷物撮像装置に接続し、該印刷物撮像装置より出力された第１および第２の印刷物の画像情報より、第１および第２の特徴情報を取得してもよい。このとき、本発明の印刷物管理装置が、この印刷物撮像装置を備える構成であってもよいし、自身の外部の印刷物撮像装置に接続する構成であってもよい。
【００１８】
また、印刷物管理装置が備える特徴情報取得手段は、第１および第２の印刷物の厚みを測定する圧力センサ、または、赤外線センサより、第１および第２の印刷物の厚みを示す情報を取得し、取得した情報を、第１および第２の印刷物の物理的特徴を示す特徴情報としてもよい。
【００１９】
本発明に印刷物管理方法は、上記の課題を解決するために、
各印刷物に固有の物理的特徴を示す特徴情報と、各印刷物に付与した識別ＩＤとを関連付けて蓄積しているデータベースを用いて、印刷物を管理する印刷物管理方法であって、第１および第２の印刷物から、それぞれ、上記特徴情報を取得する特徴情報取得ステップと、上記取得された上記第１の印刷物の特徴情報が、上記データベースに登録されているかを判定する特徴情報判定ステップと、上記特徴情報判定ステップの判定結果が真である場合に、上記取得された上記第２の印刷物の特徴情報を、上記第１の印刷物の特徴情報の代わりに上記第１の印刷物の識別ＩＤに関連付けて、上記データベースに登録する登録ステップと、を備えていることを特徴としている。
【００２０】
上記の構成によれば、本発明に係る印刷物管理装置と同様の作用効果を奏する。
【００２１】
本発明に印刷物管理装置は、上記の課題を解決するために、
各印刷物に固有の物理的特徴を示す特徴情報と、各印刷物に付与した識別ＩＤと、各印刷物の内容を示す内容情報とを関連付けて蓄積しているデータベースを用いて、印刷物を管理する印刷物管理装置であって、第１および第２の印刷物から、それぞれ、上記特徴情報を取得する特徴情報取得手段と、上記取得された上記第１の印刷物の特徴情報が、上記データベースに登録されているかを判定する特徴情報判定手段と、上記第２の印刷物から、上記内容情報を取得する内容情報取得手段と、上記特徴情報判定手段の判定結果が真である場合に、上記データベースに登録されている上記第１の印刷物の内容情報と、上記取得された上記第２の印刷物の内容情報とが、一致しているかを判定する内容情報判定手段と、上記内容情報判定手段の判定結果が真である場合に、上記取得された上記第２の印刷物の特徴情報および内容情報を、上記第１の印刷物の特徴情報および内容情報の代わりに上記第１の印刷物の識別ＩＤに関連付けて、上記データベースに登録する登録手段と、を備えていることを特徴としている。
【００２２】
上記の構成によれば、特徴情報取得手段が、第１の印刷物より第１の印刷物の特徴情報を取得し、特徴情報取得手段が取得した第１の印刷物の特徴情報が、データベースに登録されているかを、特徴情報判定手段が判定している。また、内容情報取得手段が、第２の印刷物より第２の印刷物の内容情報を取得し、内容情報取得手段が取得した第２の印刷物の内容情報と、データベースに登録されている上記第１の印刷物の特徴情報に関連付けられた内容情報とが一致しているかどうかを、内容情報判定手段が判定している。さらに、特徴情報判定手段が、第１の印刷物の特徴情報が、データベースに登録されていると判定し、かつ、内容情報判定手段が、第２の印刷物の内容情報と、データベースに登録されている上記第１の印刷物の特徴情報に関連付けられた内容情報とが一致していると判定した場合に、はじめて、登録手段は、データベースに、上記第２の印刷物の特徴情報および内容情報を、データベースに登録されている第１の印刷物の特徴情報および内容情報の代わりに第１の印刷物の識別ＩＤに関連付けて登録できる。つまり、第１の印刷物の特徴情報および内容情報がデータベースに登録されているとすると、データベースに登録されている第１の印刷物の識別ＩＤに関連付けて、新たな第２の印刷物の特徴情報および内容情報を、データベースに登録するためには、特徴情報取得手段が第１の印刷物の特徴情報を取得する必要がある、言い換えれば、印刷物管理装置を操作する操作者が第１の印刷物を所持している必要がある。
【００２３】
さらに、内容情報判定手段が、データベースに登録されている第１の印刷物の内容情報と、第２の印刷物の内容情報とが、一致しているか否かを判定し、この２つの内容情報が一致している場合に、登録手段は、データベースに、第２の印刷物の特徴情報と内容情報とを、データベースに登録されている第１の印刷物の識別ＩＤに関連付けて登録できる。言い換えれば、第２の印刷物の内容が、第１の印刷物の内容と全く異なる場合には、登録手段は、データベースに第２の印刷物の特徴情報および内容情報を登録できない。これにより、印刷物管理装置は、データベースに、更新の対象となる第１の印刷物と全く異なる内容の印刷物を、データベースに登録されている第１の印刷物の識別ＩＤに関連付けて、誤ってデータベースに登録することを防止できる。
【００２４】
ここで、上記データベースに登録されている印刷物の特徴情報および内容情報が、原本の特徴情報および内容情報だとすると、データベースに登録されている特定の原本の特徴情報および内容情報を更新するためには、この特定の原本が必要となる。
【００２５】
このときの作用効果はすでに述べたとおりであり、特徴情報判定手段が、第１の印刷物の特徴情報がデータベースに登録されていると判定した場合、言い換えれば、第１の印刷物が特定の原本であると判定された場合に、登録手段は、データベースに登録されている、第１の印刷物の特徴情報および内容情報の代わりに、更新の対象となる特定の原本の識別ＩＤに関連付けて、更新のための新たな原本である第２の印刷物の特徴情報と内容情報とを、データベースに登録できる。
【００２６】
以上のように、本発明の印刷物管理装置は、原本に変更および差し替えが発生した場合に、データベースに登録されている原本の情報を更新可能であり、かつ、データベースに登録されている原本の情報を、不正に更新されることを防止できるという効果を奏する。
【００２７】
本発明に印刷物管理方法は、上記の課題を解決するために、
各印刷物に固有の物理的特徴を示す特徴情報と、各印刷物に付与した識別ＩＤと、各印刷物の内容を示す内容情報とを関連付けて蓄積しているデータベースを用いて、印刷物を管理する印刷物管理方法であって、第１および第２の印刷物から、それぞれ、上記特徴情報を取得する特徴情報取得ステップと、上記取得された上記第１の印刷物の特徴情報が、上記データベースに登録されているかを判定する特徴情報判定ステップと、上記第２の印刷物から、上記内容情報を取得する内容情報取得手段と、上記特徴情報判定ステップの判定結果が真である場合に、上記データベースに登録されている上記第１の印刷物の内容情報と、上記取得された上記第２の印刷物の内容情報とが、一致しているかを判定する内容情報判定ステップと、上記内容情報判定ステップの判定結果が真である場合に、上記取得された上記第２の印刷物の特徴情報および内容情報を、上記第１の印刷物の特徴情報および内容情報の代わりに上記第１の印刷物の識別ＩＤに関連付けて、上記データベースに登録する登録ステップと、を備えていることを特徴としている。
【００２８】
上記の構成によれば、本発明に係る印刷物管理装置と同様の作用効果を奏する。
【００２９】
本発明に印刷物管理装置は、上記の課題を解決するために、
各印刷物に固有の物理的特徴を示す特徴情報と、各印刷物を識別する識別ＩＤと、各印刷物の内容を示す内容情報とを関連付けて蓄積しているデータベースを用いて、印刷物を管理する印刷物管理装置であって、所定の印刷物から、上記特徴情報を取得する特徴情報取得手段と、上記取得された上記所定の印刷物の特徴情報が、上記データベースに登録されているかを判定する特徴情報判定手段と、上記所定の印刷物から、上記内容情報を取得する内容情報取得手段と、上記特徴情報判定手段の判定結果が真である場合に、上記データベースに登録されている上記所定の印刷物の内容情報と、上記取得された上記所定の印刷物の内容情報とが、一致しているかを判定する内容情報判定手段と、上記内容情報判定手段の判定結果が偽である場合に、上記取得された上記所定の印刷物の内容情報を、上記データベースに登録されている上記所定の印刷物の内容情報に代わり上記所定の印刷物の識別ＩＤに関連付けて、上記データベースに登録する登録手段と、を備えていることを特徴としている。
【００３０】
上記の構成によれば、特徴情報取得手段が、所定の印刷物より所定の印刷物の特徴情報を取得し、取得した所定の印刷物の特徴情報が、予めデータベースに登録されているかを、特徴情報判定手段が判定している。ここで、登録手段が、データベースに、内容情報取得手段が取得した所定の印刷物の内容情報を、データベースに登録されている所定の印刷物の識別ＩＤに関連付けて登録するためには、２つの条件を満たす必要がある。まず第１の条件は、特徴情報取得手段が取得した所定の印刷物の特徴情報が、データベースに登録されている更新の対象となる印刷物の特徴情報に一致している必要がある。この第１の条件を満たすことにより、印刷物管理装置を操作する操作者が、更新の対象となる印刷物を所持していることになり、結果、該操作者は、更新の対象となる印刷物を所持していない場合には、データベースに登録されている更新の対象となる印刷物の識別ＩＤに関連付けて、所定の印刷物の内容情報を登録できない。
【００３１】
ここで、上記データベースに登録されている印刷物の特徴情報および内容情報が原本の特徴情報だとすると、特徴情報取得手段が特徴情報を取得した所定の印刷物が、更新対象となる原本でない場合、登録手段は、所定の印刷物の内容情報を、更新対象となる原本の識別ＩＤに関連付けて、データベースに登録できない。つまり、データベースに登録されている、更新対象となる原本の内容情報を更新するためには、更新対象となる原本が必要となるため、更新対象となる原本を所持しない者が、不正に、特定の原本の特徴情報を更新することを、本発明の印刷物管理装置は防止できる。
【００３２】
以上のように、本発明の印刷物管理装置は、原本に変更および差し替えが発生した場合に、データベースに登録されている原本の情報を更新可能であり、かつ、データベースに登録されている原本の情報を、不正に更新されることを防止できるという効果を奏する。
【００３３】
また、第２の条件として、所定の印刷物の特徴情報がデータベースに登録されていた場合に、内容情報取得手段が取得した所定の印刷物の内容情報と、データベースに登録されている所定の印刷物の識別ＩＤに関連付けられた内容情報とは、異なるものである必要がある。この第２の条件を満たすことにより、登録手段は、既にデータベースに登録されている同じ内容を示す内容情報を、無駄にデータベースに登録することを防止できるという効果を奏する。
【００３４】
例えば、印刷物管理装置が管理の対象とする印刷物が、作業記録簿のような内容が更新されるものであった場合、本発明の印刷物管理装置は、データベースに登録されている特定の作業記録簿の内容情報を更新するためには、データベースに登録されている更新の対象となる特定の作業記録簿の内容情報に対して、新たに更新するための所定の作業記録簿の内容情報が異なるものである必要がある。つまり、データベースに登録されている更新の対象となる特定の作業記録簿に対して、新たに更新する所定の作業記録簿の内容が更新されている必要がある。したがって、本発明の印刷物管理装置は、更新されていない作業記録簿の内容情報を、誤って二重にデータベースに登録することを防止できる。
【００３５】
本発明に印刷物管理方法は、上記の課題を解決するために、
各印刷物に固有の物理的特徴を示す特徴情報と、各印刷物を識別する識別ＩＤと、各印刷物の内容を示す内容情報とを関連付けて蓄積しているデータベースを用いて、印刷物を管理する印刷物管理方法であって、所定の印刷物から、上記特徴情報を取得する特徴情報取得ステップと、上記取得された上記所定の印刷物の特徴情報が、上記データベースに登録されているかを判定する特徴情報判定ステップと、上記所定の印刷物から、上記内容情報を取得する内容情報取得ステップと、上記特徴情報判定ステップの判定結果が真である場合に、上記データベースに登録されている上記所定の印刷物の内容情報と、上記取得された上記所定の印刷物の内容情報とが、一致しているかを判定する内容情報判定ステップと、上記内容情報判定ステップの判定結果が偽である場合に、上記取得された上記所定の印刷物の内容情報を、上記データベースに登録されている上記所定の印刷物の内容情報に代わりに上記所定の印刷物の識別ＩＤに関連付けて、上記データベースに登録する登録ステップと、を備えていることを特徴としている。
【００３６】
上記の構成によれば、本発明に係る印刷物管理装置と同様の作用効果を奏する。
【００３７】
また、本発明に係る印刷物管理装置は、さらに、
上記特徴情報取得手段は、上記第１および第２の印刷物を光学的に撮像することによって、それぞれの画像情報を生成する印刷物撮像装置を介して、上記第１の印刷物および上記第２の印刷物の特徴情報を取得し、上記印刷物撮像装置は、撮像した上記第１の印刷物を物理的に破壊する破壊手段を備えており、上記登録手段は、上記第２の印刷物の特徴情報を上記データベースに登録した後、上記第１の印刷物を上記破壊手段で物理的に破壊することを指示する信号を、上記印刷物撮像装置に出力することが好ましい。
【００３８】
上記構成によれば、登録手段は、データベースに登録されている第１の印刷物の特徴情報を、第２の印刷物の特徴情報に更新した後、印刷物撮像装置に、第１の印刷物の破壊を指示する信号を出力する。ここで、登録手段より第１の印刷物の破壊を指示する信号を受けた印刷物撮像装置は、自身が備える破壊手段によって、第１の印刷物を物理的に破壊する。これにより、印刷物管理装置は、データベースに登録された印刷物の識別ＩＤに対応する印刷物が、二重に存在することを防止できる。
【００３９】
また、本発明に係る印刷物管理装置は、さらに、
上記登録手段は、上記取得された上記第２の印刷物の特徴情報を上記データベースに登録するとともに、上記データベースに登録されている上記第１の印刷物の特徴情報を、上記データベースより削除することが好ましい。
【００４０】
まず、登録手段が、第２の印刷物の特徴情報を、データベースに登録されている第１の印刷物の識別ＩＤに関連付けて、データベースに登録した後は、データベースに登録されている第１の特徴情報は、不要な情報となる。
【００４１】
ここで、上記構成を備えたことにより、第２の印刷物の特徴情報をデータベースに登録後、不要となった第１の印刷物の特徴情報を、登録部はデータベースから削除するため、データベースを効率よく使用することができる。結果、データベースの容量を削減できるという効果を奏する。
【００４２】
また、本発明に係る印刷物管理装置は、さらに、
上記登録手段は、上記取得された上記第２の印刷物の特徴情報および内容情報を上記データベースに登録するとともに、上記データベースに登録されている上記第１の印刷物の特徴情報および内容情報を、上記データベースより削除することが好ましい。
【００４３】
上記構成を備えたことにより、第２の印刷物の特徴情報および内容情報をデータベースに登録後、不要となった第１の印刷物の特徴情報および内容情報を、登録部はデータベースから削除するため、データベースを効率よく使用することができる。結果、データベースの容量を削減できるという効果を奏する。
【００４４】
また、本発明に係る印刷物管理装置は、さらに、
上記登録手段は、上記取得された上記所定の印刷物の内容情報を上記データベースに登録するとともに、上記データベースに登録されている上記所定の印刷物の内容情報を、上記データベースより削除することが好ましい。
【００４５】
上記構成を備えたことにより、所定の印刷物の内容情報をデータベースに登録後、予めデータベースに登録されていた不要となった内容情報を、登録部はデータベースから削除するため、データベースを効率よく使用することができる。結果、データベースの容量を削減できるという効果を奏する。
【００４６】
（プログラムおよび記録媒体）
なお、上記印刷物管理装置は、コンピュータによって実現してもよい。この場合、コンピュータを上記各手段として動作させることにより上記印刷物管理装置をコンピュータにおいて実現する印刷物管理プログラム、およびその印刷物管理プログラムを記録したコンピュータ読み取り可能な記録媒体も、本発明の範疇に入る。
【発明の効果】
【００４７】
本発明の印刷物管理装置は、以上のように、各印刷物に固有の物理的特徴を示す特徴情報と、各印刷物に付与した識別ＩＤとを関連付けて蓄積しているデータベースを用いて、印刷物を管理する印刷物管理装置であって、第１および第２の印刷物から、それぞれ、上記特徴情報を取得する特徴情報取得手段と、上記取得された上記第１の印刷物の特徴情報が、上記データベースに登録されているかを判定する特徴情報判定手段と、上記特徴情報判定手段の判定結果が真である場合に、上記取得された上記第２の印刷物の特徴情報を、上記第１の印刷物の特徴情報の代わりに上記第１の印刷物の識別ＩＤに関連付けて、上記データベースに登録する登録手段と、を備えている。
【００４８】
また、本発明の印刷物管理装置は、以上のように、各印刷物に固有の物理的特徴を示す特徴情報と、各印刷物に付与した識別ＩＤと、各印刷物の内容を示す内容情報とを関連付けて蓄積しているデータベースを用いて、印刷物を管理する印刷物管理装置であって、第１および第２の印刷物から、それぞれ、上記特徴情報を取得する特徴情報取得手段と、上記取得された上記第１の印刷物の特徴情報が、上記データベースに登録されているかを判定する特徴情報判定手段と、上記第２の印刷物から、上記内容情報を取得する内容情報取得手段と、上記特徴情報判定手段の判定結果が真である場合に、上記データベースに登録されている上記第１の印刷物の内容情報と、上記取得された上記第２の印刷物の内容情報とが、一致しているかを判定する内容情報判定手段と、上記内容情報判定手段の判定結果が真である場合に、上記取得された上記第２の印刷物の特徴情報および内容情報を、上記第１の印刷物の特徴情報および内容情報の代わりに上記第１の印刷物の識別ＩＤに関連付けて、上記データベースに登録する登録手段と、を備えている。
【００４９】
また、本発明の印刷物管理装置は、以上のように、各印刷物に固有の物理的特徴を示す特徴情報と、各印刷物を識別する識別ＩＤと、各印刷物の内容を示す内容情報とを関連付けて蓄積しているデータベースを用いて、印刷物を管理する印刷物管理装置であって、所定の印刷物から、上記特徴情報を取得する特徴情報取得手段と、上記取得された上記所定の印刷物の特徴情報が、上記データベースに登録されているかを判定する特徴情報判定手段と、上記所定の印刷物から、上記内容情報を取得する内容情報取得手段と、上記特徴情報判定手段の判定結果が真である場合に、上記データベースに登録されている上記所定の印刷物の内容情報と、上記取得された上記所定の印刷物の内容情報とが、異なっているかを判定する内容情報判定手段と、上記内容情報判定手段の判定結果が真である場合に、上記取得された上記所定の印刷物の内容情報を、上記データベースに登録されている上記所定の印刷物の内容情報に代わり上記所定の印刷物の識別ＩＤに関連付けて、上記データベースに登録する登録手段と、を備えている。
【００５０】
したがって、本発明の印刷物管理装置は、原本に変更または差し替えが発生した場合に、データベースに登録されている原本の情報を更新可能であり、かつ、データベースに登録されている原本の情報を、不正に更新されることを防止できる。
【発明を実施するための最良の形態】
【００５１】
以下、本発明に係る実施の形態を図面に基づいて説明する。
〔実施形態１〕
（印刷物管理装置１００の構成）
はじめに、図１に示す、本実施形態１に係る印刷物管理装置１００の構成について説明する。図１は、印刷物管理装置１００の構成を示すブロック図である。
【００５２】
図１に示すように、印刷物管理装置１００は、スキャナ１５０（印刷物撮像装置）が読取った印刷物の画像情報を取得する画像情報取得部１０１（内容情報取得手段）と、画像情報取得部１０１が取得した画像情報より、印刷物が有する原本との同一性を示す、言い換えれば、１つ１つの印刷物に固有の物理的特徴を示す情報（以下、特徴情報とする）を抽出する特徴情報抽出部１０２（特徴情報取得手段）と、ＲＯＭ（Ｒｅａｄ  Ｏｎｌｙ  Ｍｅｍｏｒｙ）またはＲＡＭ（Ｒａｎｄｏｍ  ａｃｃｅｓｓ  Ｍｅｍｏｒｙ）からなるメモリ１２４と、固定ディスク１２３（データベース）と、通信Ｉ／Ｆ１２５と、固定ディスク１２３またはメモリ１２４に新たな原本の特徴情報および原本に記載された内容を示す文書画像（内容情報）を登録する登録部１０３（登録手段）と、印刷物管理装置１００の動作を制御する制御部１１０と、印刷物管理装置１００を操作する操作者に情報を表示するための表示装置１３０と、該操作者からの指示を受け付ける入力装置１４０と、を備えている。なお、印刷物が有する特徴情報および文書画像についての詳細な説明は後述とする。
【００５３】
さらに、印刷物管理装置１００は、外部よりＦＤ（Ｆｌｅｘｉｂｌｅ  Ｄｉｓｋ）１８０が着脱自在に装着されて、装着されたＦＤ１８０をアクセスするＦＤ駆動装置１２２と、ＣＤ−ＲＯＭ（Ｃｏｍｐａｃｔ  Ｄｉｓｃ  Ｒｅａｄ  Ｏｎｌｙ  Ｍｅｍｏｒｙ）１７０が着脱自在に装着されて、装着されたＣＤ−ＲＯＭ１７０をアクセスするＣＤ−ＲＯＭ駆動装置１２１と、を備えている。
【００５４】
なお、制御部１１０は、印刷物管理装置１００内の各部を制御する機能を有していることからも、制御部１１０と印刷物管理装置１００内の各部との間には、制御部１１０からの制御信号を伝送する伝送路が接続されているが、図１においては、この伝送路の図示を省略している。
【００５５】
また、制御部１１０は、画像情報取得部１０１からの、スキャナ１５０が読取った印刷物の記載内容を示す文書画像（内容情報）が、固定ディスク１２３に記憶されているか否かを判定する画像情報判定部１１１（内容情報判定手段）と、特徴情報抽出部１０２からの、スキャナ１５０が読取った印刷物の特徴情報が、固定ディスク１２３に記憶されているか否かを判定する特徴情報判定部１１２（特徴情報判定手段）とを備えている。
【００５６】
なお、通信Ｉ／Ｆ１２５は、外部のネットワークと印刷物管理装置１００とを通信可能に接続する機能を有している。通信Ｉ／Ｆ１２５によって印刷物管理装置１００が通信可能となる外部ネットワークとは、インターネットを含む各種ネットワークである。
【００５７】
また、印刷物管理装置１００は、カセット形式の着脱自在に装着された磁気テープをアクセスする磁気テープ装置が設けられてもよい。
【００５８】
さらに、印刷物管理装置１００に搭載されるソフトウェアは、ＣＤ−ＲＯＭ１７０やＦＤ１８０等の記憶媒体に格納されて流通し、印刷物管理装置１００またはワークステーション（図示しない）の所定記録エリアに、ＣＤ−ＲＯＭ駆動装置１２１またはＦＤ駆動装置１２２を介して読み込まれ、印刷物管理装置１００が備える制御部１１０は、読み込んだソフトウェアによって、様々な処理を実行する。また、印刷物管理装置１００は、ＣＤ−ＲＯＭ１７０やＦＤ１８０等の記憶媒体から読み出すのではなく、通信Ｉ／Ｆ１２５を介して、外部ネットワークよりソフトウェアを読み出してもよい。
【００５９】
なお、印刷物管理装置１００に接続されているスキャナ１５０は、印刷物を光学的に撮像し、撮像した印刷物からの光を画像情報に変換することにより、印刷物の画像情報を生成する機械である。また、スキャナ１５０は、印刷物を光学的に読取る画像読取部１５１と、スキャナ１５０に挿入された印刷物を裁断し、印刷物を物理的に破壊するシュレッダ部１５２（破壊手段）とを備えている。
【００６０】
（印刷物管理装置１００の動作処理）
次に、本実施形態に係る印刷物管理装置１００の動作処理について、図２を参照して説明する。図２は、本実施形態に係る印刷物管理装置１００の動作処理を説明するフローチャート図である。
【００６１】
図２に示すように、まず、制御部１１０が表示装置１３０に対して、原本か否かの確認の対象となる第１の印刷物をスキャナ１５０にセットすることを操作者に要求する信号を出力する（ステップ１００：以下、Ｓ１００と略す）。制御部１１０より、操作者への要求信号を入力された表示装置１３０は、第１の印刷物をスキャナ１５０に挿入することを操作者に要求する画像を表示する。さらに、制御部１１０は、操作者が挿入する第１の印刷物の特徴情報を抽出するための画像情報を、読み出す指示をスキャナ１５０に出力する。ここで、操作者がスキャナ１５０に、第１の印刷物を挿入すると、スキャナ１５０は、操作者によって挿入された第１の印刷物の特徴情報を抽出するための画像情報を読み出す。
【００６２】
次に、制御部１１０は、画像情報取得部１０１に、第１の印刷物の特徴情報を抽出するための画像情報を、スキャナ１５０より取得する指示を与える。制御部１１０より取得指示を入力された画像情報取得部１０１は、スキャナ１５０が読み出した第１の印刷物の画像情報を、スキャナ１５０より取得する（Ｓ１０１）。さらに、画像情報取得部１０１は、取得した第１の印刷物の画像情報を、特徴情報抽出部１０２に出力する。
【００６３】
画像情報取得部１０１より第１の印刷物の画像情報を取得した特徴情報抽出部１０２は、第１の印刷物の画像情報より、第１の印刷物の特徴情報を抽出する（Ｓ１０２）。さらに特徴情報抽出部１０２は、抽出した第１の印刷物の特徴情報を、対象物特徴情報として制御部１１０に出力する。なお、Ｓ１０２において、特徴情報抽出部１０２が抽出する特徴情報および抽出方法についての詳細な説明は後述とする。
【００６４】
次に、特徴情報抽出部１０２より対象物特徴情報を入力された制御部１１０は、固定ディスク１２３に記憶されている原本の特徴情報を読み出す。さらに、制御部１１０は、自身の内部に有する特徴情報判定部１１２において、特徴情報抽出部１０２からの第１の印刷物の特徴情報と、固定ディスク１２３より読み出した原本の特徴情報とを比較し、固定ディスク１２３に、第１の印刷物の特徴情報と一致する特徴情報が記憶されているか否かを判定する（Ｓ１０３）。なお、Ｓ１０３において、制御部１１０は、固定ディスク１２３が記憶する複数の原本の特徴情報を一度に取得してもよいし、固定ディスク１２３が記憶する原本の特徴情報を、１つずつ順次読み出し、特徴情報抽出部１０２からの第１の印刷物の特徴情報と順次比較してもよい。
【００６５】
Ｓ１０３において、特徴情報抽出部１０２からの第１の印刷物の特徴情報に一致する特徴情報が固定ディスク１２３に記録されていないと、制御部１１０が判定した場合、制御部１１０は、第１の印刷物が原本でないことを操作者に通知するための信号を、表示装置１３０に出力し、印刷物管理装置１００の処理を終了する。なお、制御部１１０より通知信号を入力された表示装置１３０は、第１の印刷物が原本でないことを操作者に通知する画像を表示する。
【００６６】
一方、Ｓ１０３において、特徴情報抽出部１０２からの第１の印刷物の特徴情報に一致する原本の特徴情報が固定ディスク１２３に記録されていると、制御部１１０が判定した場合、制御部１１０は、第１の印刷物の特徴情報に一致した特徴情報を有する原本（以下、対応原本とする）の文書画像を、固定ディスク１２３より読み出す（Ｓ１０４）。さらに、制御部１１０は、対応原本の特徴情報が固定ディスク１２３に記録されていることを示す信号を、言い換えれば、第１の印刷物が対応原本であることを示す信号を、登録部１０３に出力する。なお、固定ディスク１２３は、各原本の特徴情報と文書画像とを関連付けて記憶している。この特徴情報と文書画像との関連付けについの説明は後述とする。
【００６７】
さらに、第１の印刷物の特徴情報に一致する対応原本の特徴情報が、固定ディスク１２３に記録されていると判定した制御部１１０は、表示装置１３０に、更新対象となる新たな原本である第２の印刷物を、スキャナ１５０に挿入することを操作者に要求する信号を出力する。制御部１１０より要求信号を入力された表示装置１３０は、第２の印刷物をスキャナ１５０に挿入することを操作者に要求する画像を表示する（Ｓ１０５）。さらに、制御部１１０は、操作者が挿入した第２の印刷物に記載された内容を示す画像情報を、文書画像として読み出す指示をスキャナ１５０に出力する。ここで、操作者がスキャナ１５０に、第２の印刷物を挿入すると、スキャナ１５０は、操作者によって挿入された第２の印刷物に記載された内容を示す画像情報を、文書画像としてを読み出す。
【００６８】
次に、制御部１１０は、画像情報取得部１０１に、第２の印刷物の文書画像を、スキャナ１５０より取得する指示を与える。制御部１１０より取得指示を入力された画像情報取得部１０１は、スキャナ１５０が読み出した第２の印刷物の文書画像を、スキャナ１５０より取得し、制御部１１０および登録部１０３に出力する（Ｓ１０６）。
【００６９】
次に、制御部１１０は、Ｓ１０４において固定ディスク１２３より読み出した対応原本の文書画像と、Ｓ１０６において画像情報取得部１０１より入力された第２の印刷物の文書画像とを、自身が有する画像情報判定部１１１において比較し、対応原本の文書画像と第２の印刷物の文書画像とが一致するかどうかを判定する（Ｓ１０７）。
【００７０】
Ｓ１０７において、対応原本の文書画像と第２の印刷物の文書画像とが一致しないと制御部１１０が判定した場合、制御部１１０は、第２の印刷物が対応原本とは関連のない印刷物であることを操作者に通知する信号を、表示装置１３０に出力し、印刷物管理装置１００の処理を終了する。なお、制御部１１０より通知信号を入力された表示装置１３０は、スキャナ１５０に挿入された第２の印刷物が、対応原本と関連がない印刷物であることを、操作者に通知する画像を表示する。
【００７１】
一方、Ｓ１０７において、対応原本の文書画像と第２の印刷物の文書画像とが一致すると制御部１１０が判定した場合、制御部１１０は、対応原本の文書画像と第２の印刷物の文書画像とが一致したことを示す信号を、登録部１０３に出力する。
【００７２】
次に、制御部１１０は、スキャナ１５０に対して、挿入されている第２の印刷物の特徴情報を抽出するための画像情報を、第２の印刷物より読み出す指示を出力するとともに、スキャナ１５０に挿入されている第２の印刷物の特徴情報を抽出するための画像情報を取得する指示を、画像情報取得部１０１に出力する。制御部１１０より画像情報を取得する指示を受けた画像情報取得部１０１は、スキャナ１５０が読み出した第２の印刷物の特徴情報を抽出するための画像情報を、スキャナ１５０より取得し、特徴情報抽出部１０２に出力する。画像情報取得部１０１より第２の印刷物の画像情報を入力された特徴情報抽出部１０２は、入力された画像情報より、第２の印刷物の特徴情報を抽出し登録部１０３に出力する（Ｓ１０８）。
【００７３】
次に、特徴情報抽出部１０２より第２の印刷物の特徴情報を入力された登録部１０３は、Ｓ１０３において第１の印刷物の特徴情報が対応原本の特徴情報に一致したことを示す信号を制御部１１０より入力し、かつ、Ｓ１０８において第２の印刷物の文書画像が対応原本の文書画像に一致したことを示す信号を制御部１１０より入力した場合に、Ｓ１０６において画像情報取得部１０１より入力された第２の印刷物の文書画像と、Ｓ１０８において特徴情報抽出部１０２より入力された第２の印刷物の特徴情報とを、更新対象となる新たな原本の新原本情報として、固定ディスク１２３に登録する（Ｓ１０９）。
【００７４】
さらに登録部１０３は、Ｓ１０９において、新原本情報を固定ディスク１２３に登録した後、固定ディスク１２３に登録されている対応原本の特徴情報および文書画像を、固定ディスク１２３より消去する（Ｓ１１０）。
【００７５】
なお、本実施形態においては、固定ディスク１２３が各原本の特徴情報および文書画像を記憶するデータベースの機能を有するものとして説明をしたが、本発明はこれに限るものではなく、原本の特徴情報および文書画像を記憶するデータベースとして、メモリ１２４、ＣＤ−ＲＯＭ１７０、ＦＤ１８０、または、通信Ｉ／Ｆ１２５を介して通信可能な外部ネットワークに接続されたデータベース（図示しない）であってもよい。
【００７６】
また、本実施形態においては、Ｓ１０７において、データベースに登録されている対応原本の文書が画像と、第２の印刷物の文書画像とを比較し、２つの文書画像が一致した場合に、Ｓ１０８の処理に移行しているが、本発明はこれに限るものではなく、Ｓ１０４およびＳ１０７の処理を省き、Ｓ１０３において、第１の印刷物の特徴情報が、データベースに登録されていると特徴情報判定部１１２が判定した後、Ｓ１０５、Ｓ１０６およびＳ１０８以降の処理を行うものであってもよい。
【００７７】
（印刷物の繊維模様）
次に、スキャナ１５０が読み出した画像情報より、特徴情報抽出部１０２が抽出する、印刷物が有する原本との同一性を識別するための物理的特徴を示す特徴情報について、図３および図４を参照して、以下に説明する。図３は、印刷物が有する物理的特徴を示す説明図であり、図４は、印刷物における複数箇所の物理的特徴を示す説明図である。
【００７８】
本実施形態における、図２のＳ１０１およびＳ１０８において、印刷物管理装置１００は、スキャナ１５０に対して反射型モードによって印刷物の画像情報を読み出すよう指示し、スキャナ１５０が反射型モードによって観測した反射光を、印刷物の特徴情報を抽出するための画像情報として、印刷物管理装置１００の画像情報取得部１０１が取得する。
【００７９】
ここで、図３に示すように、スキャナ１５０が画像情報として読み出す印刷物を構成する紙は、細かい繊維の集まりであり、紙の表面は平滑ではなく細かな凹凸が存在する。また、繊維の色むらやゴミなどにより、染みや斑点が、紙の表面に存在することもある。それらを総称して、本実施形態においては、「繊維模様」と称する。この紙の繊維模様は、たとえ同じ１枚の紙であっても、位置が変われば異なる模様になる。したがって、原本の繊維模様を予め固定ディスク１２３に登録しておき、スキャナ１５０が読み出した印刷物の画像情報から、印刷物の繊維模様を抽出し、この原本の繊維模様と印刷物の繊維模様情報が一致するかどうかによって、印刷物管理装置１００は、印刷物が原本か否かを判定できる。また、この印刷物の物理的特徴である繊維模様は、スキャナ１５０による印刷物からの反射光より、言い換えれば、スキャナ１５０が読み出す通常の画像情報より、印刷物管理装置１００の特徴情報抽出部１０２（図１参照）は抽出できる。
【００８０】
なお、印刷物の繊維模様を検出する位置として、図３に示すように、印刷物の特定の１つの位置でもよいし、図４に示すように、印刷物の特定の複数の位置であってもよい。また、印刷物管理装置１００が繊維模様を抽出する位置と範囲は、２次元コードや文字情報としてコード化され、印刷物の文書に付加されてもよいし、電子透かしとして印刷物の文書に埋め込んであってもよい。
【００８１】
（特徴情報の抽出）
本実施形態においては、原本の特徴情報として、原本を構成する紙の繊維模様を画像にした繊維模様画像が、印刷物装置１００によって予め登録されている。この繊維模様画像は、ビットマップ、ＪＰＥＧ（Ｊｏｉｎｔ  Ｐｈｏｔｏｇｒａｐｈｉｃ  Ｅｘｐｅｒｔｓ  Ｇｒｏｕｐｓ）等の形式によって固定ディスク１２３に登録される。
【００８２】
なお、本実施形態においては、印刷物管理装置１００は、原本の特徴情報として、原本の繊維模様画像を固定ディスク１２３に登録しているが、本発明はこれに限るものではなく、抽出した繊維模様画像に対して、以下に説明する様々な処理を加えて固定ディスク１２３に登録してもよい。
【００８３】
具体的には、印刷物管理装置１００は、繊維模様画像に対して符号化、暗号化などを施してから、特徴情報として固定ディスク１２３に登録してもよいし、誤り訂正符号を付加してから、特徴情報として固定ディスク１２３に登録してもよい。この符号化方法としては、印刷物管理装置１００が有する特徴情報抽出部１０２（図１参照）が、繊維模様画像に対して濃度補正処理や鮮鋭化処理などの前処理を行った後、物理的特徴量を抽出し、この物理的特徴量を元に符号化することが挙げられる。
【００８４】
特徴情報抽出部１０２が前処理した画像からの物理的特徴量の抽出方法は、例えば、画像からｎ×ｎのサンプル点を取り、そのサンプル点の濃度値を物理的特徴量とすることが挙げられる。また、サンプル点の濃度値のみでなく、サンプル点の周りの濃度変化の平均勾配の値を物理的特徴量としてもよい。また、濃度に対する閾値を定め、閾値以下の濃度値をもつ画素群の位置や面積、画素群間の距離の値を物理的特徴量としてもよい。
【００８５】
さらに、特徴情報抽出部１０２が、繊維模様画像に対してＤＦＴ（Ｄｉｓｃｒｅｔｅ  Ｆｏｕｒｉｅｒ  Ｔｒａｎｓｆｏｒｍ）、ＦＦＴ（Ｆａｓｔ  Ｆｏｕｒｉｅｒ  Ｔｒａｎｓｆｏｒｍ）、ＤＣＴ（Ｄｉｓｃｒｅｔｅ  Ｃｏｓｉｎｅ  Ｔｒａｎｓｆｏｒｍ）、ウェーブレット変換等により周波数変換を行い、周波数帯域から物理的特徴量を取得してもよい。
【００８６】
また、物理的特徴量から符号化して特徴情報を抽出する方法としては、サンプル点の値の単純な並びによって生成する等の方法が挙げられる。特徴情報抽出部１０２が繊維模様画像に対して行う前処理、および、特徴情報の抽出方法に関しては前述の方法に限定するものではない。また符号化した際のビットサイズに関しても限定するものではない。暗号化には、ＤＥＳ（Ｄａｔａ  Ｅｎｃｒｙｐｔｉｏｎ  Ｓｔａｎｄａｒｄ）やＡＥＳ（Ａｄｖａｎｃｅｄ  Ｅｎｃｒｙｐｔｉｏｎ  Ｓｔａｎｄａｒｄ）等を用いる。誤り訂正符号には、ＣＲＣ（Ｃｙｃｌｉｃ  Ｒｅｄｕｎｄａｎｃｙ  Ｃｈｅｃｋｉｎｇ）符号、ＢＣＨ（Ｂｏｓｅ，Ｃｈａｕｄｈｕｒｉ，Ｈｏｃｑｕｅｎｇｈｅｍ）符号、ＲＳ（Ｒｅｅｄ  Ｓｏｌｏｍｏｎ）符号等の既存技術を用いるが、前述の方法に限定するものでない。
【００８７】
（特徴情報の比較判定）
次に、印差物管理装置１００の制御部１１０（図１参照）が行う、原本の特徴情報と第１の印刷物の特徴情報との比較および、第１の印刷物が原本か否かを判定する処理について、図５を参照して説明する。図５は、制御部１１０における、第１の印刷物が原本か否かを判定する処理を説明する説明図である。
【００８８】
図２のＳ１０３において説明したとおり、制御部１１０は、第１の印刷物の特徴情報に一致する原本の特徴情報が、固定ディスク１２３に登録されているか否かによって、言い換えれば、第１の印刷物の特徴情報と原本の特徴情報を比較することによって、第１の印刷物が原本か否かを判定する。
【００８９】
ここで、制御部１１０の特徴情報判定部１１２（図１参照）が行う、第１の印刷物の特徴情報と原本の特徴情報との比較処理について説明する。特徴情報判定部１１２は、固定ディスク１２３に既に登録されている原本の特徴情報である繊維模様画像と、第１の印刷物の繊維模様画像との相関係数を求め、この相関係数が所定の閾値を上回るか否かによって、第１の印刷物が原本か否かを比較判定する。なお、固定ディスク１２３に登録されている原本の特徴情報が、符号化された登録されている場合、制御部１１０は、取得した原本の特徴情報を復号し、復号した特徴情報である繊維模様画像を用いて、比較判定を行う。
【００９０】
上記の特徴情報判定部１１２が求める相関関数は、以下の式１によって求めることができる。ここで、Ｒは原本の繊維模様画像と第１の印刷物の繊維模様画像との相関係数であり、Ｐ（ｉ，ｊ）は、原本の繊維模様画像Ｐにおける座標ｉｊの画素値であり、Ｑ（ｉ，ｊ）は、第１の印刷物の繊維模様画像Ｑにける座標ｉｊの画素値であり、ｍｐは、繊維模様画像Ｐの平均画素値であり、ｍｑは、繊維模様画像Ｑの平均画素値である。
【００９１】
【数１】
2009116513.tif 000003
【００９２】
特徴情報判定部１１２が相関係数Ｒを求める場合、固定ディスク１２３に登録されている繊維模様画像をテンプレートとし、図２に示すＳ１０１において取得した第１の印刷物の繊維模様画像を探索範囲として、所定の範囲において第１の印刷物の繊維模様画像の取得位置を変え、最大の値となる相関係数Ｒを求める。
【００９３】
特徴情報判定部１１２は、固定ディスク１２３に登録されている原本の繊維模様画像ごとに、上記相関係数Ｒを求める。
【００９４】
ここで、特徴情報判定部１１２は、固定ディスク１２３に登録されている各原本の特徴情報である繊維模様画像と、第１の印刷物の繊維模様画像との最大の相関係数Ｒを求め、固定ディスク１２３に登録されている各原本の繊維模様画像のうち、相関係数Ｒが所定の閾値を上回る原本の繊維模様があれば、特徴情報判定部１１２は、第１の印刷物の特徴情報が固定ディスク１２３に登録されていると判定する。一方、特徴情報判定部１１２は、どの原本の繊維模様画像に対する相関係数Ｒも、所定の閾値を上回らない場合、特徴情報判定部１１２は、第１の印刷物の特徴情報が固定ディスク１２３に登録されていないと判定する。
【００９５】
なお、本実施形態においては、特徴情報判定部１１２は、固定ディスク１２３に登録されている全ての原本の繊維模様画像に対して、第１の印刷物の繊維模様画像との比較処理を行い、相関係数Ｒを求めてもよいし、また、相関係数Ｒを求める比較処理を、相関係数Ｒが所定の閾値を上回る原本の繊維模様画像を検出した時点で終了してもよい。
【００９６】
なお、上記の数式１に示した相関係数Ｒは、固定ディスク１２３に登録されている各原本の特徴情報が繊維模様画像の場合によるものであるが、本発明はこれに限るものでなく、固定ディスク１２３に登録されている各原本の特徴情報が、繊維模様画像を周波数変換した周波数帯域からの物理的特徴であってよい。この場合、数式１における、繊維模様画像の座標の代わりに、繊維模様画像の各周波数帯域における相関法を用いればよい。
【００９７】
（固定ディスク１２３からの原本の文書画像の取得）
次に、図２に示すＳ１０４における、固定ディスク１２３に登録されている原本の文書画像を取得する文書画像取得処理について説明する。
【００９８】
図２に示すＳ１０３において、特徴情報判定部１１２は、特徴情報抽出部１０２より入力された第１の印刷物の特徴情報が、固定ディスク１２３に登録されているか否かを判定している。ここで、特徴情報判定部１１２が、第１の印刷物の特徴情報が固定ディスク１２３に登録されていると判定した場合、制御部１１０は、第１の印刷物の特徴情報に一致した、固定ディスク１２３の登録されている特徴情報に関連付けられた文書画像を、言い換えれば、対応原本の文書画像を、固定ディスク１２３より読み出す。なお、固定ディスク１２３に登録されている特徴情報と文書画像との関連付けの詳細な説明は後述とする。
【００９９】
ここで、固定ディスク１２３に登録されている各原本の文書画像は、ビットマップ、ＪＰＥＧ（Ｊｏｉｎｔ  Ｐｈｏｔｏｇｒａｐｈｉｃ  Ｅｘｐｅｒｔｓ  Ｇｒｏｕｐｓ）等の画像形式によって固定ディスク１２３に登録されている。また、原本の文書画像の画像サイズが大きい場合、固定ディスク１２３に必要な記憶容量が増大するため、固定ディスク１２３に登録されている原本の文書画像は、画像サイズを縮小したものであってもよい。なお、画像縮小方法には、最近傍法、線形補間法、バイキュービック法等があるが方法は限定しない。さらに、符号化、暗号化などを施してから固定ディスク１２３に格納してあってもよい。
【０１００】
（文書画像の比較判定）
次に、図２に示すＳ１０７において、画像情報判定部１１１が行う、画像情報取得部１０１からの第２の印刷物の文書画像と、制御部１１０が固定ディスク１２３より読み出した対応原本の文書画像との比較処理および判定処理について、図６を参照して説明する。図６は、第２の印刷物の文書画像と固定ディスク１２３に登録されている対応原本の文書画像との比較処理および判定処理を示す説明図である。
【０１０１】
図６に示すように、画像情報判定部１１１は、印刷物の繊維模様画像のような特定の物理的特徴を比較するのではなく、印刷物に記載された内容を示す文書画像を比較する。具体的には、画像情報判定部１１１は、スキャナ１５０が読取った第２の印刷物の記載内容を示す画像情報である文書画像を、画像情報取得部１０１を介して取得し、さらに、固定ディスクより、対応原本の特徴情報に関連付けられた文書画像を読み出し、この２つの文書画像を、特徴情報判定部１１２が行う相関係数を求める比較処理と同様の比較処理によって、一致するか否かを比較判定する。具体的には、特徴情報判定部１１２が、第１の印刷物の繊維模様画像と、固定ディスク１２３に登録されている繊維模様画像とを、数式１を用いて相関係数を求めているのに対し、画像情報判定部１１１は、第２の印刷物の文書画像と、固定ディスク１２３に登録されている対応原本の文書画像とを、数式１を用いて相関係数を求めている。さらに画像情報判定部１１１は、自身が求めた相関係数が所定の閾値を上回っているか否かを判定し、相関係数が所定の閾値を上回っていれば、画像情報取得部１０１を介して取得した第２の印刷物の文書画像と、固定ディスク１２３に登録されている対応原本の文書画像とは一致していると判定する。一方、画像情報判定部１１１は、自身が求めた相関係数が所定の閾値を下回っている場合は、画像情報取得部１０１を介して取得した第２の印刷物の文書画像と、固定ディスク１２３に登録されている対応原本の文書画像とは一致していると判定する。
【０１０２】
また、画像情報判定部１１１が、画像情報取得部１０１を介して取得した第２の印刷物の文書画像と、固定ディスク１２３に登録されている対応原本の文書画像とを比較するにあたり、文書画像を所定数のブロックに分割し、分割したブロックごとに、相関係数を求めて、２つの文書画像を比較してもよい。以下に、文書画像を所定数のブロックに分割して、２つの文書画像を比較する方法を、図９を参照して説明する。図９は、所定数のブロックに分割された第２の印刷物の文書画像および対応原本の文書画像を示す説明図である。
【０１０３】
図９に示すように、画像情報判定部１１１は、画像情報取得部１０１を介して取得した第２の印刷物の文書画像と、固定ディスク１２３に登録されている対応原本の文書画像とをそれぞれ、ｘ×ｙのブロックに格子状に分割し、この２つの文書画像を対応するブロックごとに、数式１を用いて相関係数を求める。ここで、画像情報判定部１１１は、文書画像全体のブロック数に対する、相関係数が所定の閾値を超えるブロック数の割合が、一定以上（例えば７０％）であった場合に、画像情報取得部１０１を介して取得した第２の印刷物の文書画像と、固定ディスク１２３に登録されている対応原本の文書画像とは、一致していると判定する。このとき、文書画像における何も印刷されていない余白領域の影響を排除するため、画像情報判定部１１１は、平均画素値が所定の値以下の領域に該当するブロックを除外して、相関係数を求め、２つの文書画像が一致しているか否かを判定してもよい。これにより、例えば、図１０（ａ）に示す対応原本の文書画像１３ａが、固定ディスク１２３に登録されており、さらに、図１０（ｂ）に示すような第２の印刷物の文書画像１３ｂを、新たに更新する原本の文書画像として、固定ディスク１２３に登録する場合、図１１に示すような、文書画像１３ａと文書画像１３ｂとにおいて異なる領域を明確にした文書画像１４を、制御部１１０は、表示装置１３０に出力し、表示装置１３０が表示することが可能となる。これにより、印刷物管理装置の操作者は、更新前の文書画像１３ａから更新後の文書画像１３ｂに、どこが変わったのかを明確に判断できる。
【０１０４】
（特徴情報と文書画像との関連付け）
次に、固定ディスク１２３が記憶する、各原本の特徴情報と文書画像との関連付けの一例について、図７および図８を参照して説明する。図７は、固定ディスク１２３に登録されている各原本の特徴情報と文書情報との関連付けを示す説明図であり、図８は、登録部１０３（図１参照）が、第２の印刷物の特徴情報および文書画像を登録した場合の、固定ディスク１２３内の各データの登録状態を示す説明図である。
【０１０５】
図７に示すように、固定ディスク１２３には、登録部１０３が登録した原本の登録履歴を記録する登録履歴テーブルと、登録されている原本の特徴情報と文書画像との関連付けを管理する原本テーブルと、登録されている原本の特徴情報を管理する特徴量テーブルと、登録されている原本の文書画像を管理する文書画像テーブルが存在する。
【０１０６】
また、図７に示す各テーブルに登録されている各データは、第１の印刷物に対応するものとする。ここで、図７に示すように、固定ディスク１２３内において、第１の印刷物の特徴情報は、登録部１０３によって、特徴量ＩＤ“０１００１”が付与され、ファイル名が“ｆ０１００１．ｄａｔ”として特徴量テーブルに登録されており、第１の印刷物の文書画像は、登録部１０３によって、文書画像ＩＤ“０２００１”が付与され、ファイル名が“ｄ０２００１．ｄａｔ”として文書画像テーブルに登録されている。また、第１の印刷物の特徴情報に付与された特徴量ＩＤ“０１００１”と、第１の印刷物の特徴情報に付与された文書画像ＩＤ“０２００１”とは、原本テーブルにおいて、登録部１０３が、第１の印刷物に対して付与した文書ＩＤ（識別ＩＤ）“００１００”によって関連付けられている。
【０１０７】
次に、登録部１０３が、第１の印刷物の特徴情報および文書画像を、第２の印刷物の特徴情報および文書画像に更新する場合における、固定ディスク１２３内の各テーブルの登録情報を、図８を参照して説明する。
【０１０８】
図８に示すように、第２の印刷物の特徴情報は、登録部１０３によって、特徴量ＩＤ“０１００２”が付与され、ファイル名が“ｆ０２００２．ｄａｔ”として特徴量テーブルに登録され、さらに、第２の印刷物の文書画像は、登録部１０３によって、文書画像ＩＤ“０２００２”が付与され、ファイル名が“ｄ０２００２．ｄａｔ”として文書画像テーブルに登録される。このとき、原本テーブルにおける、文書ＩＤ“００１００”に関連付けられた特徴量ＩＤおよび文書画像ＩＤは、登録部１０３によって、それぞれ“０１００１”および“０２００１”から、“０１００２”および“０２００２”に書き換えられる。これにより、図２に示すＳ１１０における、登録部１０３が行う、第１の印刷物の特徴情報および文書画像の登録抹消処理が完了することになる。
【０１０９】
なお、登録部１０３は、第１の印刷物の特徴情報および文書画像を、第２の印刷物の特徴情報および文書画像に更新する場合に、特徴量テーブルおよび文書画像テーブルにおける、第１の印刷物の特徴量ＩＤおよび文書画像ＩＤを書き換えるのではなく、第２の印刷物の特徴量ＩＤおよび文書画像ＩＤを、新たなレコードとして特徴量テーブルおよび文書画像テーブルに追加する。さらに、登録部１０３は、第１の印刷物の特徴量ＩＤおよび文書画像ＩＤを、特徴量テーブルおよび文書画像テーブルにおける、第２の印刷物の元特徴量ＩＤフィールドおよび元文書ＩＤフィールドに登録し、第２の印刷物の特徴量ＩＤおよび文書画像ＩＤと関係付けておく。これにより、登録部１０３が、登録抹消処理を行っても、処理の履歴を残しておけるため、操作者の不正を抑止できる。
【０１１０】
なお、本実施形態においては、登録部１０３は、第１の印刷物の特徴情報および文書画像を、第２の印刷物の特徴情報および文書画像に更新する場合に、第１の印刷物の特徴情報および文書画像を、固定ディスク１２３から削除しない構成としたが、本発明はこれに限るものではなく、登録部１０３は、第２のイ夏物の特徴情報および文書画像を、固定ディスク１２３に登録した後、第１の印刷物の特徴情報および文書画像を、固定ディスク１２３より削除する構成としてもよい。これにより、更新前の第１の印刷物の特徴情報および文書画像を削除しない構成に比べ、固定ディスク１２３における記憶容量を節約できる。
【０１１１】
なお、本実施形態に係る印刷物管理装置における各処理は、コンピュータまたはワークステーションなどのＣＰＵ（Ｃｅｎｔｒａｌ  Ｐｒｏｃｅｓｓｉｎｇ  Ｕｎｉｔ）上で実行されるソフトウェアによって実現される。なお、プリンタやプリンタ機能とスキャナ機能を兼ね備えた複写機などで、画像処理や制御を行うＣＰＵ上で実行されるソフトウェアにより実現されてもよいし、専用のハードウェアとして実現されてもよい。
〔実施形態２〕
次に、本発明に係る実施形態２について図１２および図１３を参照して以下に説明する。なお、実施形態２は、実施形態１の変形例である。具体的には、図１２に示すＳ１２０〜Ｓ１２２、Ｓ１２４〜Ｓ１２６、およびＳ１２８〜Ｓ１３０の動作処理は、実施形態１におけるＳ１００〜Ｓ１０２、Ｓ１０４〜Ｓ１０６、およびＳ１０８〜Ｓ１１０の動作処理と同様であり、図１２に示すＳ１２０〜Ｓ１３１の動作処理を実行する装置も、図１に示した印刷物管理装置１００である。そこで、実施形態２においては、実施形態１と異なる動作処理について説明し、重複する動作処理については、その説明を省略する。したがって、以下に、実施形態１と異なるＳ１２３、Ｓ１２７、およびＳ１３１について説明する。
【０１１２】
まず、本実施形態の図１２に示すＳ１２３およびＳ１２７は、実施形態１におけるＳ１０３およびＳ１０７に対応しており、一部の異なる動作処理を除き、基本的な動作処理は同じである。以下に、Ｓ１２３およびＳ１２７における、Ｓ１０３およびＳ１０７と異なる動作処理について説明する。
【０１１３】
図１２に示すＳ１２３においては、制御部１１０が、自身の内部に有する特徴情報判定部１１２において、特徴情報抽出部１０２からの第１の印刷物の特徴情報と、固定ディスク１２３より読み出した原本の特徴情報とを比較し、固定ディスク１２３に、第１の印刷物の特徴情報と一致する特徴情報が記憶されているか否かを判定することは、図２に示すＳ１０３と同様である。
【０１１４】
ここで、図２に示すＳ１０３と異なる動作処理として、制御部１１０は、特徴情報抽出部１０２からの第１の印刷物の特徴情報に一致する特徴情報が、固定ディスク１２３に記録されていないと判定した場合、制御部１１０は、第１の印刷物が原本でないことを操作者に通知するための信号を、表示装置１３０に出力するとともに、スキャナ部１５０に、第１の印刷物の排出を要求する信号を出力する（Ｓ１２３）。
【０１１５】
また、図１２に示すＳ１２７においては、制御部１１０が、制御部１１０は、Ｓ１０４において固定ディスク１２３より読み出した対応原本の文書画像と、Ｓ１０６において画像情報取得部１０１より入力された第２の印刷物の文書画像とを、自身が有する画像情報判定部１１１において比較し、対応原本の文書画像と第２の印刷物の文書画像とが一致するかどうかを判定することは、図２に示すＳ１０７と同様である。
【０１１６】
ここで、図２に示すＳ１０７と異なる動作処理として、制御部１１０は、対応原本の文書画像と第２の印刷物の文書画像とが一致しないと判定した場合、制御部１１０は、第２の印刷物が対応原本とは関連のない印刷物であることを操作者に通知する信号を、表示装置１３０に出力するとともに、スキャナ部１５０に第１の印刷物の排出を要求する排出要求信号を出力する（Ｓ１２７）。
【０１１７】
次に、実施形態１にはない、本実施形態において新たに追加となる、図１２に示すＳ１３１の動作処理について以下に説明する。
【０１１８】
図１２に示すように、Ｓ１２９およびＳ１３０（図２におけるＳ１０９およびＳ１１０に相当）において、登録部１０３（図１参照）が、第２の印刷物の特徴情報および文書画像を固定ディスク１２３に登録し、さらに、固定ディスク１２３に登録されている、対応原本の特徴情報および文書画像、言い換えれば、第１の印刷物の特徴情報および文書画像を、登録抹消した後、登録部１０３は、第２の印刷物の特徴情報および文書画像の登録および第１の印刷物の特徴情報および文書画像の登録抹消が完了したことを示す更新完了信号を、制御部１１０に出力する。
【０１１９】
ここで、登録部１０３より更新完了信号を受け取った制御部１１０は、スキャナ１５０に対して、第１の印刷物の裁断を要求する裁断要求信号を出力する（Ｓ１３１）。
【０１２０】
（スキャナ１５０の構成）
次に、制御部１１０より排出要求信号または裁断要求信号を受け取ったスキャナ１５０の構成および動作処理について、図１３を参照して説明する。図１３は、スキャナ１５０の構成を示すブロック図である。
【０１２１】
スキャナ１５０は、第１の印刷物および第２の印刷物を光学的に撮像することにより、第１の印刷物および第２の印刷物の画像情報を生成するスキャナ部１５１と、第１の印刷物を裁断するシュレッダ部１５２と、スキャナ部１５１において撮像された第１の印刷物を保持するバッファ部１５３と、バッファ部１５３において保持されている第１の印刷物を、スキャナ１５０の外部に排出する、または、シュレッダ部１５２に送る機能を有するセレクタ１５４とを備えている。なお、スキャナ１５０は、上記各部を制御する図示しないスキャナ制御部を備えている。
【０１２２】
（スキャナ１５０の動作処理）
まず、図１に示すＳ１０１において、印刷物管理装置１００の表示装置１３０に表示された第１の印刷物の挿入を要求する画像を確認した操作者が、第１の印刷物をスキャナ１５０に挿入した後、スキャナ１５０は、スキャナ部１５１において、挿入された第１の印刷物を撮像し、第１の印刷物の画像情報を生成する。スキャナ部１５１は、第１の印刷物を撮像した後、第１の印刷物をバッファ部１５３に送る。バッファ部１５３は、スキャナ部１５１より送られた第１の印刷物を、スキャナ制御部から指示があるまで保持する。
【０１２３】
次に、スキャナ１５０は、印刷物管理装置１００の制御部１１０より、図１２に示すＳ１２３またはＳ１２７において、排出要求信号を入力されると、スキャナ制御部はこの入力された排出要求信号に基づき、バッファ部１５３およびセレクタ１５４に、第１の印刷物を排出する排出指示信号を出力する。スキャナ制御部より排出指示信号を入力されたセレクタ１５４は、印刷物の送出先を排出側に切り替え、さらに、スキャナ制御部より排出指示信号を入力されたバッファ部１５３は、自身が保持する第１の印刷物を、セレクタ１５４を介して、スキャナ１５０の外部に排出する。
【０１２４】
一方、第１の印刷物をバッファ部１５３において保持するスキャナ１５０は、印刷物管理装置１００の制御部１１０より、図１２に示すＳ１３１において、裁断要求信号を入力されると、スキャナ制御部はこの入力された裁断要求信号に基づき、バッファ部１５４、セレクタ１５４、シュレッダ部１５２に、第１の印刷物を裁断する裁断指示信号を出力する。スキャナ制御部より裁断指示信号を入力あれたセレクタ１５４は、印刷物の送出先をシュレッダ部１５２側に切り替え、さらに、スキャナ制御部より裁断指示信号を入力されたバッファ部１５３は、自身が保持する第１の印刷物を、セレクタ１５４を介して、シュレッダ部１５２に送出する。さらに、スキャナ制御部より裁断指示信号を入力されたシュレッダ部１５２は、セレクタ１５４より送出された第１の印刷物を裁断し、物理的に破壊する。
【０１２５】
以上のように、印刷物管理装置１００の制御部１１０が、図２に示すＳ１２９およびＳ１３０において、第２の印刷物の特徴情報および文書情報を、固定ディスク１２３に登録し、固定ディスク１２３に登録されている対応原本の特徴情報および文書画像を登録抹消した後、スキャナ１５０が、制御部１１０からの裁断要求信号に基づき、第１の印刷物を裁断することにより、互いに関連付けられた２つの原本が二重に存在することを防止できる。
【０１２６】
なお、本実施形態に係る印刷物管理装置における各処理は、コンピュータまたはワークステーションなどのＣＰＵ（Ｃｅｎｔｒａｌ  Ｐｒｏｃｅｓｓｉｎｇ  Ｕｎｉｔ）上で実行されるソフトウェアによって実現される。なお、プリンタやプリンタ機能とスキャナ機能を兼ね備えた複写機などで、画像処理や制御を行うＣＰＵ上で実行されるソフトウェアにより実現されてもよいし、専用のハードウェアとして実現されてもよい。
〔実施形態３〕
次に、本発明に係る実施形態３について図１４〜図１７を参照して以下に説明する。なお、実施形態３は、実施形態１および２における印刷物管理装置１００によって実現されるものであるため、ここでは、印刷物管理装置１００の構成については説明を省略する。
【０１２７】
（印刷物管理装置１００の動作処理）
以下に、図１４を参照して、本実施形態における、印刷物管理装置１００の動作処理を説明する。図１４は、本実施形態に係る、印刷物管理装置１００における動作処理を説明するフローチャート図である。
【０１２８】
図１４に示すように、まず、制御部１１０が表示装置１３０に対して、原本か否かの確認の対象となる印刷物（以下、更新対象印刷物とする）をスキャナ１５０にセットすることを操作者に要求する信号を出力する（ステップ１４０：以下、Ｓ１４０と略す）。制御部１１０より、操作者への要求信号を入力された表示装置１３０は、更新対象印刷物をスキャナ１５０に挿入することを操作者に要求する画像を表示する。さらに、制御部１１０は、操作者が挿入した更新対象印刷物の画像情報を、読み出す指示をスキャナ１５０に出力する。ここで、操作者がスキャナ１５０に、更新対象印刷物を挿入すると、スキャナ１５０は、操作者によって挿入された更新対象印刷物の画像情報を読み出す。
【０１２９】
次に、制御部１１０は、画像情報取得部１０１に、更新対象印刷物の画像情報を、スキャナ１５０より取得する指示を与える。制御部１１０より取得指示を入力された画像情報取得部１０１は、スキャナ１５０が読み出した更新対象印刷物の画像情報を、スキャナ１５０より取得する（Ｓ１４１）。さらに、画像情報取得部１０１は、取得した更新対象印刷物の画像情報を、特徴情報抽出部１０２に出力する。
【０１３０】
画像情報取得部１０１より更新対象印刷物の画像情報を取得した特徴情報抽出部１０２は、更新対象印刷物の画像情報より、更新対象印刷物の特徴情報を抽出する（Ｓ１４２）。さらに特徴情報抽出部１０２は、抽出した更新対象印刷物の特徴情報を、対象物特徴情報として制御部１１０に出力する。なお、Ｓ１４２において、特徴情報抽出部１０２が抽出する特徴情報および抽出方法は、実施形態１における第１の印刷物の特徴情報および抽出方法と同様であるため、ここではその詳細な説明については省略する。
【０１３１】
なお、本実施形態においては、Ｓ１４２における特徴情報抽出部１０２が特徴情報を抽出する更新対象印刷物の画像情報と、Ｓ１４５における、制御部１１０が比較する更新対象印刷物の文書画像とは、同じ、Ｓ１４１において画像情報取得部１０１が取得した画像情報としているが、本発明はこれに限るものではなく、特徴情報抽出部１０２は、Ｓ１４１において画像情報取得部１０１がスキャナ１５０より取得した画像情報とは異なる、特徴情報を抽出するための更新対象印刷物の画像情報を、Ｓ１４２において、画像情報取得部１０１を介して、新たにスキャナ１５０から取得してもよい。なお、この場合は、Ｓ１４２において、制御部１１０が、新たに特徴情報を抽出するための更新対象印刷物の画像情報を読み出す指示を、スキャナ１５０に与える。
【０１３２】
次に、特徴情報抽出部１０２より対象物特徴情報を入力された制御部１１０は、固定ディスク１２３に記憶されている原本の特徴情報を読み出す。さらに、制御部１１０は、自身の内部に有する特徴情報判定部１１２において、特徴情報抽出部１０２からの更新対象印刷物の特徴情報と、固定ディスク１２３より読み出した原本の特徴情報とを比較し、固定ディスク１２３に、更新対象印刷物の特徴情報と一致する特徴情報が記憶されているか否かを判定する（Ｓ１４３）。なお、Ｓ１４３において、制御部１１０は、固定ディスク１２３が記憶する複数の原本の特徴情報を一度に取得してもよいし、固定ディスク１２３が記憶する原本の特徴情報を、１つずつ順次読み出し、特徴情報抽出部１０２からの更新対象印刷物の特徴情報と比較してもよい。
【０１３３】
なお、Ｓ１４３において特徴情報判定部１１２が行う、特徴情報抽出部１０２からの更新対象印刷物の特徴情報と、固定ディスク１２３より読み出した原本の特徴情報との比較処理は、実施形態１におけるＳ１０３と同様であるため、比較処理の詳細な説明は省略する。
【０１３４】
Ｓ１４３において、特徴情報抽出部１０２からの更新対象印刷物の特徴情報に一致する特徴情報が固定ディスク１２３に記録されていないと、制御部１１０が判定した場合、制御部１１０は、更新対象印刷物が原本でないことを操作者に通知するための信号を、表示装置１３０に出力し、印刷物管理装置１００の処理を終了する。なお、制御部１１０より通知信号を入力された表示装置１３０は、第１の印刷物が原本でないことを操作者に通知する画像を表示する。
【０１３５】
一方、Ｓ１４３において、特徴情報抽出部１０２からの更新対象印刷物の特徴情報に一致する原本の特徴情報が固定ディスク１２３に記録されていると、制御部１１０が判定した場合、制御部１１０は、更新対象印刷物の特徴情報に一致した特徴情報を有する原本（以下、対応原本とする）の文書画像を、固定ディスク１２３より読み出す（Ｓ１４４）。さらに、制御部１１０は、対応原本の特徴情報が固定ディスク１２３に記録されていることを示す信号を、言い換えれば、更新対象印刷物が対応原本であることを示す信号を、登録部１０３に出力する。なお、固定ディスク１２３は、各原本の特徴情報と文書画像とを関連付けて記憶している。この特徴情報と文書画像との関連付けについの説明は、実施形態１において既に述べたとおりであるため、ここではその説明を省略する。
【０１３６】
次に、更新対象印刷物の特徴情報に一致する対応原本の特徴情報が、固定ディスク１２３に記録されていると判定した制御部１１０は、画像情報取得部１０１より、更新対象印刷物の画像情報を文書画像として取得する。さらに制御部１１０は、画像情報取得部１０１より取得した更新対象印刷物の文書画像と、固定ディスク１２３より読み出した対応原本の文書画像とを、自身が有する画像情報判定部１１１において比較し、対応原本の文書画像と更新対象印刷物の文書画像とが一致するかどうかを判定する（Ｓ１４５）。
【０１３７】
Ｓ１４５において、対応原本の文書画像と更新対象印刷物の文書画像とが一致していると制御部１１０が判定した場合、制御部１１０は、更新対象印刷物に記載された内容は、すでに固定ディスク１２３に登録済であることを、操作者に通知する信号を、表示装置１３０に出力し、印刷物管理装置１００の処理を終了する。なお、制御部１１０より通知信号を入力された表示装置１３０は、スキャナ１５０に挿入された更新対象印刷物に記載された内容が、すでに固定ディスク１２３に登録済であることを、操作者に通知する画像を表示する。
【０１３８】
一方、Ｓ１４５において、対応原本の文書画像と更新対象印刷物の文書画像とが一致しないと制御部１１０が判定した場合、制御部１１０は、対応原本の文書画像と更新対象印刷物の文書画像とが一致しないことを示す信号を、登録部１０３に出力する。さらに、制御部１１０は、画像情報取得部１０１に対して、更新対象印刷物の文書画像を登録部１０３に出力する指示を与える。更新対象印刷物の文書画像を入力された登録部１０３は、制御部１１０より、対応原本の文書画像と更新対象印刷物の文書画像とが一致しないことを示す信号が入力された場合に、更新対象印刷物の文書画像を、固定ディスク１２３に登録されている対応原本の特徴情報と関連付けて、固定ディスク１２３に登録する（Ｓ１４６）。
【０１３９】
以上のように、Ｓ１４５において、制御部１１０が、対応原本の文書画像と更新対象印刷物の文書画像とが一致していると判定した場合、言い換えれば、更新対象印刷物の文書画像は固定ディスク１２３に既に登録済である場合、登録部１０３は、更新対象印刷物の文書画像を固定ディスク１２３に登録することはなく、結果、印刷物管理装置は、更新対象印刷物の文書画像を固定ディスク１２３に、無駄に更新登録することを防止できる。
【０１４０】
なお、Ｓ１４５において、登録部１０３は、更新対象印刷物の文書画像を、対応原本の特徴情報に関連付けられた文書ＩＤに関連付けて、データベースに登録するとともに、データベースに登録されている、対応原本の文書ＩＤに関連付けられた文書画像の登録を抹消してもよいし、データベースから、データベースに登録されている、対応原本の文書ＩＤに関連付けられた文書画像を削除してもよい。
【０１４１】
（文書画像の比較処理）
Ｓ１４５において、画像情報判定部１１１は、図９に示すように、画像情報取得部１０１を介して取得した更新対象印刷物の文書画像と、固定ディスク１２３に登録されている対応原本の文書画像とをそれぞれ、ｘ×ｙのブロックに格子状に分割し、この２つの文書画像を対応するブロックごとに、実施形態１に示す数式１を用いて相関係数を求め、全てのブロックにおける相関係数が所定の閾値を超える場合に、更新対象印刷物の文書画像と対応原本の文書画像とが一致していると判定してもよい。
【０１４２】
これにより、更新対象印刷物の文書画像と、対応原本の文書画像との違いが微小であったとしても、画像情報判定部１１１は、互いに異なる箇所を正確に検出できる。さらに、例えば、図１６（ａ）に示す対応原本の文書画像１６ａが、固定ディスク１２３に登録されており、さらに、図１６（ｂ）に示すような更新対象印刷物の文書画像１６ｂを、新たに更新する対応原本の文書画像として、固定ディスク１２３に登録する場合、図１７に示すような、文書画像１６ａと文書画像１６ｂとにおいて異なる領域を明確にした文書画像１７を、制御部１１０は、表示装置１３０に出力し、表示装置１３０が表示することが可能となる。これにより、印刷物管理装置の操作者は、更新前の文書画像１６ａから更新後の文書画像１６ｂに、どこが変わったのかを明確に判断できる。
【０１４３】
（更新対象印刷物の文書画像の更新）
次に、Ｓ１４６における、登録部１０３が更新対象印刷物の文書画像を、固定ディスク１２３に登録した場合の、固定ディスク１２３における対応原本の特徴情報と、更新対象印刷物の文書画像との関連付けについて、図８および図１５を参照して、以下に説明する。
【０１４４】
図１５は、登録部１０３が更新対象印刷物の文章画像を、固定ディスク１２３に登録した後の、固定ディスク１２３における、対応原本の特徴情報と、更新対象印刷物の文書画像との関連付けを示す説明図である。
【０１４５】
なお、登録部１０３が、更新対象印刷物の文書画像を、固定ディスク１２３に登録する前の、固定ディスク１２３における、データの登録状況は、図８に示すとおりとする。また、Ｓ１４３において、特徴情報抽出部１０２が抽出した、更新対象印刷物の特徴情報は、固定ディスク１２３に登録されている特徴量ＩＤ“０１００２”の特徴情報と一致していると、特徴情報判定部１１２が判定しているとする。なお、図８に示すように、特徴量ＩＤ“０１００２”の特徴情報は、文書ＩＤ“００１００”および文書画像ＩＤ“０２００２”に関連付けられている。
【０１４６】
ここで、登録部１０３は、更新対象印刷物の文書画像を、特徴量ＩＤ“０１００２”の特徴情報と関連付けて固定ディスク１２３に登録する場合、更新対象印刷物の文書画像に、文書画像ＩＤ“０２００３”を付与し、ファイル名を“ｄ０２００３．ｄａｔ”として文書画像テーブルに登録する。さらに、原本テーブルにおける、文書ＩＤ“００１００”に関連付けられた文書画像ＩＤは、登録部１０３によって、“０２００２”から、“０２００３”に書き換えられる。また、文書画像テーブルにおける、文書画像ＩＤ“０２００３”に関連付けられた元文書画像ＩＤとして、更新前の文書画像ＩＤ“０２００２”が、登録部１０３によって登録される。これにより、登録部１０３が行う、更新対象印刷物の文書画像の更新登録が完了する。
（プログラム関連発明）
なお、上記印刷物管理装置が備える各部は、ハードウェアロジックによって構成されていてもよいし、ＣＰＵなどの演算手段が、ＲＯＭ（Ｒｅａｄ  Ｏｎｌｙ  Ｍｅｍｏｒｙ）やＲＡＭなどの記憶手段に記憶されたプログラムを実行することにより実現する構成となっていてもよい。
【０１４７】
ＣＰＵなどの演算手段および記憶手段によって上記の各構成を構成する場合、これらの手段を有するコンピュータが、上記プログラムを記録した記録媒体を読み取り、当該プログラムを実行することによって、上記各部の各種機能および各種処理を実現することができる。また、上記プログラムをリムーバブルな記録媒体に記録することにより、任意のコンピュータ上で上記の各種機能および各種処理を実現することができる。
【０１４８】
この記録媒体としては、コンピュータによって処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１４９】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１５０】
また、インターネットを含む通信ネットワークを接続可能なシステム構成であれば、通信ネットワークからプログラムをダウンロードするように流動的にプログラムを担持する記録媒体であることが好ましい。
【０１５１】
さらに、このように通信ネットワークからプログラムをダウンロードする場合には、そのダウンロード用のプログラムは予め本体装置に格納しておくか、あるいは別の記録媒体からインストールされるものであることが好ましい。
【０１５２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１５３】
なお、本発明の印刷物管理装置、印刷物管理方法、印刷物管理プログラム、および該プログラムを記憶する記憶媒体を以下のように構成してもよい。
【０１５４】
（第１構成）
印刷物を管理する印刷物管理装置であって、印刷物が有する物理的特徴量を検出する特徴量検出手段と、前記物理的特徴量を登録するデータベースと、前記データベースにあらかじめ登録された物理的特徴量と前記特徴量検出手段で検出した物理的特徴量を比較する特徴量比較手段と、第１の印刷物に対応する第２の印刷物を原本として前記データベースに登録する原本登録手段とを有し、前記原本登録手段は第１の印刷物に対する特徴量比較手段の結果が等しい場合に第２の印刷物の物理的特徴量を第１の印刷物に対する新たな原本として前記データベースに登録することを特徴とする印刷物管理装置。
【０１５５】
（第２構成）
印刷物を管理する印刷物管理装置であって、印刷物が有する物理的特徴量を検出する特徴量検出手段と、印刷物に印刷された文書画像を読み取る文書画像読取手段と、前記物理的特徴量と前記文書画像を登録するデータベースと、前記データベースにあらかじめ登録された物理的特徴量と前記特徴量検出手段で検出した物理的特徴量を比較する特徴量比較手段と、前記データベースにあらかじめ登録された文書画像と前記文書画像読取手段で読み取った文書画像を比較する文書画像比較手段と、第１の印刷物に対応する第２の印刷物を原本として前記データベースに登録する原本登録手段とを有し、前記原本登録手段は第１の印刷物に対する特徴量比較手段の結果が等しく、かつ、第２の印刷物に対する文書画像比較手段の結果が等しい場合に第２の印刷物の物理的特徴量と文書画像を第１の印刷物に対する新たな原本として前記データベースに登録することを特徴とする印刷物管理装置。
【０１５６】
（第３構成）
印刷物を管理する印刷物管理装置であって、印刷物が有する物理的特徴量を検出する特徴量検出手段と、印刷物に印刷された文書画像を読み取る文書画像読取手段と、前記物理的特徴量と前記文書画像を登録するデータベースと、前記データベースにあらかじめ登録された物理的特徴量と前記特徴量検出手段で検出した物理的特徴量を比較する特徴量比較手段と、前記データベースにあらかじめ登録された文書画像と前記文書画像読取手段で読み取った文書画像を比較する文書画像比較手段と、印刷物を前記データベースに更新登録する原本登録手段とを有し、前記原本登録手段は印刷物に対する特徴量比較手段の結果が等しく、かつ、印刷物に対する文書画像比較手段の結果が等しくない場合に印刷物の文書画像を新たに前記データベースに登録することを特徴とする印刷物管理装置。
【０１５７】
（第４構成）
前記原本登録手段が第２の印刷物を新たな原本としてデータベースに登録するとともに、第１の印刷物の登録をデータベースから抹消することを特徴とする、第１構成または第２構成に記載の印刷物管理装置。
【０１５８】
（第５構成）
印刷物の物理的破壊手段をさらに有し、前記原本登録手段が第２の印刷物を新たな原本としてデータベースに登録するとともに、前記物理的破壊手段が第１の印刷物を物理的に破壊することを特徴とする、第１構成または第２構成に記載の印刷物管理装置。
【０１５９】
（第６構成）
前記原本登録手段が印刷物の文書画像を新たにデータベースに登録するとともに、既に登録されている文書画像をデータベースから抹消することを特徴とする、第３構成に記載の印刷物管理装置。
【０１６０】
（第７構成）
印刷物を管理する印刷物管理方法であって、印刷物が有する物理的特徴量を検出するステップと、前記物理的特徴量を登録するデータベースと、前記データベースにあらかじめ登録された物理的特徴量と前記特徴量を検出するステップで検出した物理的特徴量を比較するステップと、第１の印刷物に対する特徴量比較するステップの結果が等しい場合に第２の印刷物の物理的特徴量を第１の印刷物に対する新たな原本として前記データベースに登録するステップとを有することを特徴とする印刷物管理方法。
【０１６１】
（第８構成）
印刷物を管理する印刷物管理方法であって、印刷物が有する物理的特徴量を検出するステップと、印刷物に印刷された文書画像を読み取るステップと、前記物理的特徴量と前記文書画像を登録するデータベースと、前記データベースにあらかじめ登録された物理的特徴量と前記特徴量を検出するステップで検出した物理的特徴量を比較するステップと、前記データベースにあらかじめ登録された文書画像と前記文書画像を読み取るステップで読み取った文書画像を比較するステップと、第１の印刷物に対する特徴量を比較するステップの結果が等しく、かつ、第２の印刷物に対する文書画像を比較するステップの結果が等しい場合に第２の印刷物の物理的特徴量と文書画像を第１の印刷物に対する新たな原本として前記データベースに登録するステップとを有することを特徴とする印刷物管理方法。
【０１６２】
（第９構成）
印刷物を管理する印刷物管理方法であって、印刷物が有する物理的特徴量を検出するステップと、印刷物に印刷された文書画像を読み取るステップと、前記物理的特徴量と前記文書画像を登録するデータベースと、前記データベースにあらかじめ登録された物理的特徴量と前記特徴量を検出するステップで検出した物理的特徴量を比較するステップと、前記データベースにあらかじめ登録された文書画像と前記文書画像を読み取るステップで読み取った文書画像を比較するステップと、印刷物に対する特徴量を比較するステップの結果が等しく、かつ、印刷物に対する文書画像を比較するステップの結果が等しくない場合に印刷物の文書画像を新たに前記データベースに登録するステップとを有することを特徴とする印刷物管理方法。
【０１６３】
（第１０構成）
第７構成から第９構成のいずれか１つの構成に記載の印刷物管理方法をコンピュータに実行させるための印刷物管理プログラム。
【０１６４】
（第１１構成）
第７構成から第９構成のいずれか１つの構成に記載の印刷物管理方法をコンピュータに実行させるための印刷物管理プログラムを記録した機械読取可能な記録媒体。
【産業上の利用可能性】
【０１６５】
本発明は、予めデータベースに登録された原本の情報を、更新対象となる新たな原本の情報に、安全に更新可能な印刷物管理装置および印刷物管理方法を提供するものであり、特に、住民票等の各種証明書や有価証券なお、原本性が重要な印刷物を管理する管理装置において利用できる。
【図面の簡単な説明】
【０１６６】
【図１】本発明の一実施形態に係る、印刷物管理装置の構成を示すブロック図である。
【図２】本発明の一実施形態に係る、印刷物管理装置の動作処理を示すフローチャート図である。
【図３】本発明の一実施形態に係る、印刷物の物理的特徴である特徴情報を示す説明図である。
【図４】本発明の一実施形態に係る、印刷物における、複数箇所の物理的特徴である特徴情報を示す説明図である。
【図５】本発明の一実施形態に係る、印刷物管理装置が行う、印刷物の特徴情報とデータベースに登録されている特徴情報との比較処理を示す説明図である。
【図６】本発明の一実施形態に係る、印刷物管理装置が行う、印刷物の文書画像とデータベースに登録されている文書画像との比較処理を示す説明図である。
【図７】本発明の一実施形態に係る、データベースに登録されている特徴情報と文書画像との関連付けを示す説明図である。
【図８】本発明の一実施形態に係る、印刷物管理装置によって、第２の印刷物の特徴情報が登録された後の、データベースに登録されている特徴情報と文書画像との関連付けを示す説明図である。
【図９】本発明の一実施形態に係る、印刷物管理装置が行う、特徴情報または文書画像の比較方法の一例を示す説明図である。
【図１０】（ａ）は、本発明の一実施形態に係るデータベースに登録されている更新前の原本の文書画像を示す説明図であり、（ｂ）は、本発明の一実施形態に係る第２の印刷物の文書画像を示す説明図である。
【図１１】本発明の一実施形態に係る、印刷物管理装置が、更新前と更新後との文書画像を比較し、異なる箇所を操作者に通知するための文書画像を示す説明図である。
【図１２】本発明の他の実施形態に係る、印刷物管理装置の動作処理を示すフローチャート図である。
【図１３】本発明の他の実施形態に係る、スキャナの構成を示すブロック図である。
【図１４】本発明のさらに他の実施形態に係る、印刷物管理装置の動作処理を示すフローチャート図である。
【図１５】本発明のさらに他の実施形態に係る、データベースに登録されている特徴情報と文書画像との関連付けを示す説明図である。
【図１６】（ａ）は、本発明のさらに他の実施形態に係る、データベースに登録されている更新前の原本の文書画像を示す説明図であり、（ｂ）は、本発明のさらに他の実施形態に係る第２の印刷物の文書画像を示す説明図である。
【図１７】本発明のさらに他の実施形態に係る、印刷物管理装置が、更新前と更新後との文書画像を比較し、異なる箇所を操作者に通知するための文書画像を示す説明図である。
【符号の説明】
【０１６７】
１００  印刷物管理装置
１０１  画像情報取得部（内容情報取得手段）
１０２  特徴情報抽出部（特徴情報取得手段）
１０３  登録部（登録手段）
１１０  制御部（特徴情報判定手段、内容情報判定手段）
１１１  画像情報判定部（内容情報判定手段）
１１２  特徴情報判定部（特徴情報判定手段）
１２３  固定ディスク（データベース）
１５０  スキャナ（印刷物撮像装置）
１５２  シュレッダ部（破壊手段）
【図１】
2009116513.tif 000004
【図２】
2009116513.tif 000005
【図３】
2009116513.tif 000006
【図４】
2009116513.tif 000007
【図５】
2009116513.tif 000008
【図６】
2009116513.tif 000009
【図７】
2009116513.tif 000010
【図８】
2009116513.tif 000011
【図９】
2009116513.tif 000012
【図１０】
2009116513.tif 000013
【図１１】
2009116513.tif 000014
【図１２】
2009116513.tif 000015
【図１３】
2009116513.tif 000016
【図１４】
2009116513.tif 000017
【図１５】
2009116513.tif 000018
【図１６】
2009116513.tif 000019
【図１７】
2009116513.tif 000020